【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】
ネットワークを介して通信可能に接続されたサーバコンピュータと印刷装置とを備え、前記サーバコンピュータを経て受信したファイルを前記印刷装置で印刷するための印刷システムであって、
前記サーバコンピュータは、
ファイルが添付された電子メールを受信する受信手段と、
前記印刷装置に対して、前記受信手段により受信したファイルが添付された電子メールを送信するファイル送信手段と、
前記印刷装置で印刷できないフォーマットのファイルに関する印刷不可ファイル情報を前記印刷装置から受信した場合、当該ファイルを前記印刷装置で印刷可能なフォーマットに変換するための変換手段と、
前記変換手段によりファイルのフォーマットが変換された場合、前記印刷装置に対して、変換されたファイルを送信する変換ファイル送信手段と
を有し、
前記印刷装置は、
前記サーバコンピュータから受信した電子メールに添付されたファイルが当該印刷装置で印刷可能なフォーマットであるか否かを判断する判断手段と、
前記判断手段により印刷可能なフォーマットであると判断されたファイルが存在する場合、当該ファイルを印刷する印刷手段と、
前記判断手段により印刷できないフォーマットであると判断されたファイルが存在する場合、前記サーバコンピュータに対して、前記印刷不可ファイル情報を送信する印刷不可ファイル情報送信手段と
を有することを特徴とする印刷システム。
【請求項２】
ネットワークを介して通信可能に接続されたサーバコンピュータと印刷装置とを備え、前記サーバコンピュータを経て受信したファイルを前記印刷装置で印刷するための印刷システムにおける前記サーバコンピュータであって、
ファイルが添付された電子メールを受信する受信手段と、
前記印刷装置に対して、前記受信手段により受信したファイルが添付された電子メールを送信するファイル送信手段と、
前記印刷装置で印刷できないフォーマットのファイルに関する印刷不可ファイル情報を前記印刷装置から受信した場合、当該ファイルを前記印刷装置で印刷可能なフォーマットに変換するための変換手段と、
前記変換手段によりファイルのフォーマットが変換された場合、前記印刷装置に対して、変換されたファイルを送信する変換ファイル送信手段と
を有することを特徴とするサーバコンピュータ。
【請求項３】
ネットワークを介して通信可能に接続されたサーバコンピュータと印刷装置とを備え、前記サーバコンピュータを経て受信したファイルを前記印刷装置で印刷するための印刷システムにおける前記印刷装置であって、
前記サーバコンピュータから受信した電子メールに添付されたファイルが当該印刷装置で印刷可能なフォーマットであるか否かを判断する判断手段と、
前記判断手段により印刷可能なフォーマットであると判断されたファイルが存在する場合、当該ファイルを印刷する印刷手段と、
前記判断手段により印刷できないフォーマットであると判断されたファイルが存在する場合、前記サーバコンピュータに対して、当該印刷装置で印刷できないフォーマットのファイルを印刷可能なフォーマットに変換して返信することを促すための情報を送信する送信手段と
を有することを特徴とする印刷装置。
【請求項４】
ネットワークを介して通信可能に接続されたサーバコンピュータと印刷装置とを備え、前記サーバコンピュータを経て受信したファイルを前記印刷装置で印刷するための印刷システムにおける前記サーバコンピュータを制御するための制御プログラムであって、
ファイルが添付された電子メールを受信する手順と、
前記印刷装置に対して、前記受信する手順において受信したファイルが添付された電子メールを送信する手順と、
前記印刷装置で印刷できないフォーマットのファイルに関する印刷不可ファイル情報を前記印刷装置から受信した場合、当該ファイルを前記印刷装置で印刷可能なフォーマットに変換する手順と、
前記変換する手順においてファイルのフォーマットが変換された場合、前記印刷装置に対して、変換されたファイルを送信する手順と
をサーバコンピュータに実行させるための制御プログラム。
【請求項５】
ネットワークを介して通信可能に接続されたサーバコンピュータと印刷装置とを備え、前記サーバコンピュータを経て受信したファイルを前記印刷装置で印刷するための印刷システムにおける前記印刷装置を制御するための制御プログラムであって、
前記サーバコンピュータから受信した電子メールに添付されたファイルが当該印刷装置で印刷可能なフォーマットであるか否かを判断する手順と、
前記判断する手順において印刷可能なフォーマットであると判断されたファイルが存在する場合、当該ファイルを印刷する手順と、
前記判断する手順において印刷できないフォーマットであると判断されたファイルが存在する場合、前記サーバコンピュータに対して、当該印刷装置で印刷できないフォーマットのファイルを印刷可能なフォーマットに変換して返信することを促すための情報を送信する手順と
を印刷装置に実行させるための制御プログラム。
【請求項６】
ネットワークを介して通信可能に接続されたサーバコンピュータと印刷装置とを備えた印刷システムを用いて、前記サーバコンピュータを経て受信したファイルを前記印刷装置で印刷するための印刷方法であって、
前記サーバコンピュータが、ファイルが添付された電子メールを受信する段階と、
前記サーバコンピュータが、前記印刷装置に対して、前記受信する段階において受信したファイルが添付された電子メールを送信する段階と、
前記印刷装置が、前記サーバコンピュータから受信した電子メールに添付されたファイルが当該印刷装置で印刷可能なフォーマットであるか否かを判断する段階と、
前記印刷装置が、前記判断する段階において印刷可能なフォーマットであると判断されたファイルが存在する場合、当該ファイルを印刷する段階と、
前記印刷装置が、前記判断する段階において印刷できないフォーマットであると判断されたファイルが存在する場合、前記サーバコンピュータに対して、当該印刷装置で印刷できないフォーマットのファイルに関する印刷不可ファイル情報を送信する段階と、
前記サーバコンピュータが、前記印刷不可ファイル情報を前記印刷装置から受信した場合、当該ファイルを前記印刷装置で印刷可能なフォーマットに変換する段階と、
前記サーバコンピュータが、前記変換する段階においてファイルのフォーマットが変換された場合、前記印刷装置に対して、変換されたファイルを送信する段階と
を有することを特徴とする印刷方法。
【請求項７】
前記変換ファイル送信手段は、前記変換されたファイルを電子メールに添付して送信することを特徴とする請求項１に記載の印刷システム。
【請求項８】
前記印刷不可ファイル情報は、前記印刷できないフォーマットのファイルと、当該ファイルを印刷可能なフォーマットに変換して返送する旨の要求コマンドとを含むことを特徴とする請求項１に記載の印刷システム。
【請求項９】
前記サーバコンピュータは、
前記変換手段によりファイルを前記印刷装置で印刷可能なフォーマットに変換できなかった場合、前記印刷装置、および前記受信手段により受信した前記電子メールの送信元の少なくとも一方に対して、前記変換手段により変換できなかった添付ファイルに関する変換不可ファイル情報を送信する変換不可ファイル情報送信手段
をさらに有することを特徴とする請求項１に記載の印刷システム。
【請求項１０】
前記印刷装置で印刷できないフォーマットのファイルを印刷可能なフォーマットに変換して返信することを促すための情報は、前記印刷できないフォーマットのファイルと、当該ファイルを印刷可能なフォーマットに変換して返送する旨の要求コマンドとを含むことを特徴とする請求項３に記載の印刷装置。
【請求項１１】
請求項４または５に記載の制御プログラムを記録したコンピュータ読み取り可能な記録媒体。